(57)【要約】      （修正有）【課題】小型の原稿読取装置及びそれに用いる、像面湾曲をはじめとした諸収差が十分に補正された広画角の原稿読取用レンズを得ること。【解決手段】光源手段からの光束で照明された原稿面上の画像情報を結像する原稿読取用レンズと、原稿読取用レンズの結像面に配置され、画像情報を光電変換する複数の画素を一次元方向に配置した読取手段とを有し、原稿読取用レンズのうち、読取手段に最も近い最終レンズは、少なくとも１つのアナモフィック面を有し、アナモフィック面の最軸外主光線の通過位置における母線方向の曲率半径をR(y)、子線方向の曲率半径をｒ(y)、前記原稿読取用レンズの全系の焦点距離をｆ、結像倍率をβ、原稿面上の読取像高のうち、最大値をＹとするとき、１．５１＜ｒ（ｙ）／Ｒ（ｙ）＜２．５０、−１．２＜Ｙ・β／ｆ＜−０．８なる条件式を満たすこと。【選択図】図９
2010169781.tif 000002
【特許請求の範囲】
【請求項１】
光源手段と、前記光源手段からの光束で照明された原稿面上の画像情報を結像させる原稿読取用レンズと、前記原稿読取用レンズの結像面に配置され、画像情報を光電変換する複数の画素を一次元方向に配置した読取手段と、を有する原稿読取装置において、
前記原稿読取用レンズのうち、前記読取手段に最も近い最終レンズは、少なくとも１つのアナモフィック面を有し、
前記アナモフィック面の最軸外主光線の通過位置における母線方向の曲率半径をR(y)、子線方向の曲率半径をｒ(y)、前記原稿読取用レンズの全系の焦点距離をｆ、前記原稿読取用レンズの全系の結像倍率をβ、前記原稿面上の読取像高のうち、最大値をＹとするとき、
１．５１＜ｒ（ｙ）／Ｒ（ｙ）＜２．５０
−１．２＜Ｙ・β／ｆ＜−０．８
なる条件式を満たすことを特徴とする原稿読取装置。
【請求項２】
前記最終レンズは、前記読取手段側の面が前記読取手段側に向い凸でメニスカス形状であることを特徴とする請求項１に記載の原稿読取装置。
【請求項３】
前記原稿読取用レンズの光軸と、前記読取手段の画素の配列方向を含んだ面を母線断面とするとき、前記母線断面に垂直な子線断面における前記最終レンズのアナモフィック面の曲率は光軸から周辺にかけて連続して変化することを特徴とする請求項１又は２に記載の原稿読取装置。
【請求項４】
前記原稿読取用レンズは、前記原稿面側から前記読取手段側へ順に、負のパワーの第１レンズ、正のパワーの第２レンズ、第３レンズの３枚で構成されていることを特徴とする請求項１、２又は３に記載の原稿読取装置。
【請求項５】
前記原稿読取用レンズは、前記原稿面側から前記読取手段側へ順に、正のパワーの第１レンズ、負のパワーの第２レンズ、正のパワーの第３レンズ、第４レンズの４枚で構成されていることを特徴とする請求項１、２又は３に記載の原稿読取装置。
【請求項６】
前記原稿読取用レンズの前記第１レンズと第２レンズのうち、少なくとも１つの面は、光軸に対し回転対称の非球面形状であることを特徴とする請求項１乃至４のいずれか１項に記載の原稿読取装置。
【請求項７】
前記原稿読取用レンズのうち、前記読取手段に最も近い最終レンズは、樹脂で成形されていることを特徴とする請求項１乃至６のいずれか１項に記載の原稿読取装置。
【請求項８】
前記原稿読取用レンズの開口効率は、前記原稿面の読取範囲全体にわたり９５％以上であることを特徴とする請求項１乃至７のいずれか１項に記載の原稿読取装置。
【請求項９】
光源手段からの光束により照明された原稿面上の画像情報を読取手段面上に結像させるための原稿読取用レンズにおいて、
前記原稿読取用レンズのうち、前記読取手段に最も近い最終レンズは、少なくとも１つのアナモフィック面を有し、
前記アナモフィック面の有効径の９割の位置における母線方向の曲率半径をR(y)、子線方向の曲率半径をｒ(y)とするとき、
１．５１＜ｒ（ｙ）／Ｒ（ｙ）＜２．５
なる条件式を満たすことを特徴とする原稿読取用レンズ。
【請求項１０】
前記最終レンズは、前記読取手段側の面が前記読取手段側に向い凸でメニスカス形状であることを特徴とする請求項９に記載の原稿読取用レンズ。
【請求項１１】
前記原稿読取用レンズの光軸と、前記読取手段の画素の配列方向を含んだ面を母線断面とするとき、前記母線断面に垂直な子線断面における前記最終レンズのアナモフィック面の曲率は光軸から周辺にかけて連続して変化することを特徴とする請求項９又は１０に記載の原稿読取用レンズ。
【請求項１２】
前記原稿読取用レンズは、前記原稿面側から前記読取手段側へ順に、負のパワーの第１レンズ、正のパワーの第２レンズ、第３レンズの３枚で構成されていることを特徴とする請求項９、１０又は１１に記載の原稿読取用レンズ。
【請求項１３】
前記原稿読取用レンズは、前記原稿面側から前記読取手段側へ順に、正のパワーの第１レンズ、負のパワーの第２レンズ、正のパワーの第３レンズ、第４レンズの４枚で構成されていることを特徴とする請求項９、１０又は１１に記載の原稿読取用レンズ。
【請求項１４】
前記原稿読取用レンズの前記第１レンズと第２レンズのうち、少なくとも１つの面は、光軸に対し回転対称の非球面形状であることを特徴とする請求項９乃至１２のいずれか１項に記載の原稿読取用レンズ。
【請求項１５】
前記原稿読取用レンズのうち、前記読取手段に最も近い最終レンズは、樹脂で成形されていることを特徴とする請求項９乃至１４のいずれか１項に記載の原稿読取用レンズ。
【発明の詳細な説明】
【技術分野】
【０００１】
本発明は原稿読取装置及びそれに用いる原稿読取用レンズに関する。特にアナモフィック面を有する原稿読取用レンズの光学性能を十分に発揮して精度の高い画像読取りが行なえるようにした、イメージスキャナー、複写機、そしてファクシミリ等の原稿読取装置に好適なものである。
【背景技術】
【０００２】
イメージスキャナやデジタル複写機やファクシミリ等の原稿読取装置に用いられる原稿読取用レンズには、原稿の画像情報を読取素子（読取手段）であるCCD又はCMOS面上に高精度に縮小投影し結像できる性能を有することが要望されている。このためには、例えば開口効率が95％以上で、かつ球面収差をはじめとした諸収差が十分に補正されていることが必要となる。
【０００３】
また装置本体の小型化を図ることが要望されている。このためには原稿読取用レンズを広画角化にし、物像間距離を短縮化すれば良い。また原稿読取用レンズには、光学系全体の簡素化の為及び製造の面からなるべくレンズ枚数が少ないことが良い。さらにカラースキャナ等の原稿読取用レンズにおいては色収差が良好に補正されていることが必要と成る。
【０００４】
通常、原稿読取用レンズを広角化すると画角に応じて像面湾曲、非点収差、次いで歪曲収差や倍率色収差が大きくなり、全画角で十分なコントラストの良い画像を得るのが難しくなってくる。
【０００５】
従来、広画角域での使用に適し、高い光学性能が得られる原稿読取用レンズのレンズタイプとして、例えばテッサータイプ、トポゴンタイプ、テレフォトタイプ等が知られている（特許文献１，２，３参照）。
【０００６】
テッサータイプの原稿読取用レンズは、コンパクトで諸収差もよく補正できるが、半画角の上限値が18°程度で、それ以上の広画角では非点収差の補正が極めて困難である。
【０００７】
トポゴンタイプの原稿読取用レンズは、特許文献１に提案されているように半画角20°程度で用いることが出来るが、倍率色収差の発生を抑制することが難しい。
【０００８】
特許文献２に提案されているテレフォトタイプの原稿読取用レンズでは、半画角20°程度から更に広画角化が図られている。しかしながら、半画角が25°程度で縮小倍率が0.18以上になると像面彎曲、非点収差等の補正が難しくなる。
【０００９】
特許文献３では、結像光学系内の少なくとも一面に光軸に対して回転非対称な形状より成るアナモフィック面を導入することによって、広画角化を図りつつ諸収差を良好に補正している。
【００１０】
特に特許文献３では、アナモフィック面を用いて、半画角が25°程度で像面彎曲収差を効果的に補正し、良好な光学性能を得ている。
【特許文献１】特開平９−１０１４５２号公報
【特許文献２】特開２０００−２４９９１３号公報
【特許文献３】特開２０００−１７１７０５号公報
【発明の開示】
【発明が解決しようとする課題】
【００１１】
近年、原稿読取装置には、更なる小型化と高画質化が求められている。
【００１２】
特許文献３の実施例が示すように半画角30°程度までの原稿読取用レンズを用いれば比較的小型の原稿読取装置が得られる。
【００１３】
しかしながら、更なる小型化を図るには、原稿読取用レンズの画角を拡大することが必要となる。
【００１４】
特に、原稿読取用レンズに対しては、像面彎曲等の諸収差を低減しつつ広画角化を行うことが要望されている。
【００１５】
しかしながら、原稿読取用レンズの小型化を図りつつ、広画角化を図ろうとすると、非点収差や像面湾曲等の諸収差が増大し、原稿読取精度が低下してくる。
【００１６】
本発明は小型の原稿読取装置及びそれに用いる、像面湾曲をはじめとした諸収差が十分に補正された広画角の原稿読取用レンズの提供を目的とする。
【課題を解決するための手段】
【００１７】
請求項１の発明の原稿読取装置は、
光源手段と、前記光源手段からの光束で照明された原稿面上の画像情報を結像させる原稿読取用レンズと、前記原稿読取用レンズの結像面に配置され、画像情報を光電変換する複数の画素を一次元方向に配置した読取手段と、を有する原稿読取装置において、
前記原稿読取用レンズのうち、前記読取手段に最も近い最終レンズは、少なくとも１つのアナモフィック面を有し、
前記アナモフィック面の最軸外主光線の通過位置における母線方向の曲率半径をR(y)、子線方向の曲率半径をｒ(y)、前記原稿読取用レンズの全系の焦点距離をｆ、前記原稿読取用レンズの全系の結像倍率をβ、前記原稿面上の読取像高のうち、最大値をＹとするとき、
１．５１＜ｒ（ｙ）／Ｒ（ｙ）＜２．５０
−１．２＜Ｙ・β／ｆ＜−０．８
なる条件式を満たすことを特徴としている。
【００１８】
請求項９の発明の原稿読取用レンズは、
光源手段からの光束により照明された原稿面上の画像情報を読取手段面上に結像させるための原稿読取用レンズにおいて、
前記原稿読取用レンズのうち、前記読取手段に最も近い最終レンズは、少なくとも１つのアナモフィック面を有し、
前記アナモフィック面の有効径の９割の位置における母線方向の曲率半径をR(y)、子線方向の曲率半径をｒ(y)とするとき、
１．５１＜ｒ（ｙ）／Ｒ（ｙ）＜２．５
なる条件式を満たすことを特徴としている。
【発明の効果】
【００１９】
本発明によれば小型の原稿読取装置及びそれに用いる、像面湾曲をはじめとした諸収差が十分に補正された広画角の原稿読取用レンズが得られる。
【発明を実施するための最良の形態】
【００２０】
本発明の原稿読取装置は、光源手段と、光源手段からの光束で照明された原稿面上の画像情報を結像する原稿読取用レンズと、原稿読取用レンズの結像面に配置され、画像情報を光電変換する複数の画素を一次元方向に配置した読取手段とを有している。
【００２１】
さらに原稿読取用レンズのうち、読取手段に最も近い最終レンズは、少なくとも１つのアナモフィック面を有している。そして、アナモフィック面の最軸外主光線の通過位置における母線方向の曲率半径R(y)、子線方向の曲率半径ｒ(y)、原稿読取用レンズの全系の焦点距離ｆ、結像倍率βとする。そして原稿面上の読取像高のうち、最大値Ｙ等のパラメータを後述する条件式(1),(2)を満足するように適切に設定している。
【００２２】
以下、図面を用いて本発明の実施例を説明する。
【実施例】
【００２３】
図１、図３、図５、図７は各々本発明に係る原稿読取用レンズの後述する数値実施例１、２、３、４のレンズ断面図である。図２、図４、図６、図８は各々本発明に係る原稿読取用レンズの後述する数値実施例１、２、３、４の諸収差図（球面収差、非点収差、歪曲収差、倍率色収差）である。
【００２４】
レンズ断面図において図面上、左側が拡大側（共役点が長い方）で原稿面Ｐ側（読取画像が設けられている側）であり、右側が縮小側（共役点が短い方）で読取手段（ＣＣＤ）Ｑが設けられている側である。
【００２５】
ＬＧは、光源手段（不図示）からの光束で照明された原稿面上の画像情報を読取手段面上に結像するための原稿読取用レンズ（結像光学系）である。Ｐは物体としての原稿（原稿面）であり、その面上には読み取りの為の画像情報が形成されている。Ｑは読取手段（ＣＣＤ）であり、原稿読取用レンズＬＧの結像面（像面）に配置され、画像情報を光電変換する複数の画素が一次元方向に配置されている。
【００２６】
Ｌ１は第１レンズ、Ｌ２は第２レンズ、Ｌ３は第３レンズ、Ｌ４は第４レンズ、ＳＰは絞りである。
【００２７】
収差図において、ＦｎｏはＦナンバー、Ｙは原稿側の像高である。e、g、cは各々e線、g線、c線、ΔM、ΔSはメリディオナル像面、サジタル像面、倍率色収差はg線、c線によって表している。
【００２８】
原稿読取用レンズＬＧは原稿面Ｐ上の画像情報を読取手段（光電変換素子、ＣＣＤ）Ｑ上に縮小結像し、該読取手段Ｑによって、画像情報を読み取っている。
【００２９】
また本発明において、原稿読取用レンズＬＧのうち、読取手段Ｑに最も近い最終レンズは、少なくとも１つのアナモフィック面を有している。
【００３０】
本発明の原稿読取装置において、アナモフィック面の最軸外主光線の通過位置（最周辺部）における母線方向の曲率半径をR(y)、子線方向の曲率半径をｒ(y)、原稿読取用レンズの全系の焦点距離をｆ、結像倍率をβとする。さらに、原稿面上の読取像高のうち、最大値をＹとする。そのとき、
１．５１＜ｒ（ｙ）／Ｒ（ｙ）＜２．５０  ‥‥(1)
−１．２＜Ｙ・β／ｆ＜−０．８            ‥‥(2)
なる条件式を満たしている。
【００３１】
尚、上記アナモフィック面の最軸外主光線の通過位置（最周辺部）は、有効域に対して０．８８〜０．９掛けのところに存在する。
【００３２】
また、原稿読取用レンズ単独としては、条件式(1)のＲ（ｙ）、ｒ（ｙ）はアナモフィック面の有効径の８．８割から９割(好ましくは、９割）の位置における母線方向の曲率半径と子線方向の曲率半径となる。
【００３３】
上記条件式(2)における結像倍率βは、読取解像度と読取素子（画素）のセルサイズで決まるもので、例えば600dpiでセルサイズが9.325μmであった場合、結像倍率βは-0.22となる。
【００３４】
結像倍率βは、-0.11（600dpiでセルサイズ4.7μm）から-0.25（2400dpiでセルサイズ2.7μm）が適用範囲となる。
【００３５】
また、原稿面上の読取像高のうち、最大値Ｙは、Ａ４サイズで105mm、A3サイズで148.5mm、A2サイズで210mmとなり、上記数値が適用範囲となる。
【００３６】
次に各条件式(1)、(2)の技術的意味について説明する。
【００３７】
条件式(1)は、像面彎曲と非点収差などを良好に補正し、超広角においても少ないレンズ枚数で十分に性能を得るための条件式である。条件式(1)を外れると非点収差の補正が難しくなるだけでなく、像面彎曲や他の諸収差の補正が困難になってくるので良くない。
【００３８】
条件式(2)は、装置全体の小型化を規定するための条件式であり、条件式(2)の上限値を超えてしまうと、光路長が長くなり、装置の小型化が困難となる。また、条件式(2)の下限値を超えてしまうと、アナモフィック面を含むレンズ径が大きくなるためレンズ系として大きくなり装置の小型化が困難となる。また、端部光量も少なくなる弊害も発生する。
【００３９】
さらに好ましくは上記条件式(1),(2)の数値範囲を次の如く設定するのが良い。
【００４０】
１．５１５＜ｒ（ｙ）／Ｒ（ｙ）＜２．１５０    ‥‥(1a)
−１．１０＜Ｙ・β／ｆ＜−０．８１              ‥‥(2a)
以上のように各実施例では、条件式(1)、(2)を満足することによって、原稿読取用レンズの超高画角における光学性能を良好にし、装置全体の小型化を実現している。
【００４１】
また、本発明において、より好ましくは、最終レンズは、読取手段側の面が凸でメニスカス形状であるのが良い。メニスカス形状にすることにより、更に像面彎曲を良好に補正することができる。
【００４２】
また、更に好ましくは、原稿読取用レンズの光軸と、読取手段の画素の配列方向を含んだ面を母線断面とするとき、母線断面に垂直な子線断面における最終レンズのアナモフィック面の曲率は光軸から周辺にかけて連続して変化するのが良い。
【００４３】
このような最終レンズの少なくとも一方のレンズ面にアナモフィック面を設けることで、超広画角における更なる像面彎曲、非点収差の補正が可能となり、超広画角における良好な光学性能を得ることができる。
【００４４】
次に本発明の各数値実施例１〜４の特徴について順次説明する。
【００４５】
図１、図３、図５における数値実施例１〜３の原稿読取用レンズＬＧは原稿Ｐ側（原稿面側）から読取手段（ＣＣＤ）Ｑ側へ順に次の構成より成っている。
【００４６】
読取手段の面が凹形状の負のパワー（屈折力）の第１レンズＬ１、絞りＳＰ、両レンズ面が凸形状の正のパワーの第２レンズＬ２、読取手段Ｑ側に凸面を向けたメニスカス形状の負のパワーの第３レンズＬ３の３枚のレンズで構成している。
【００４７】
第３レンズＬ３は入射面と出射面（第１、第２面）がアナモフィック面より成っている。
【００４８】
また、第１レンズＬ１と第２レンズＬ２のうち、少なくとも１つの面は光軸に対し回転対称の非球面形状より成っている。
【００４９】
本実施例では、第１レンズＬ１と第２レンズＬ２に回転対称の非球面を適用している。これにより球面収差などの諸収差を良好に補正し、第３レンズＬ３のアナモフィック面によって像面彎曲と非点収差の補正を行うことによって３枚という少ないレンズ枚数で構成が可能となり、良好なる光学特性を実現している。
【００５０】
図７における数値実施例４の原稿読取用レンズＬＧは原稿Ｐ側から読取手段Ｑ側へ順に次の構成より成っている。
【００５１】
物体側に凸面を向けたメニスカス形状の正のパワーの第１レンズＬ１、絞りＳＰ、両レンズ面が凹形状の負のパワーの第２レンズＬ２、両レンズ面が凸形状の正のパワーの第３レンズＬ３よりなる。さらに読取手段Ｑ側に凸面を向けたメニスカス形状の正のパワーの第４レンズＬ４の４枚のレンズで構成している。
【００５２】
第４レンズＬ４は入射面と出射面（第１、第２面）がアナモフィック面より成っている。
【００５３】
第１レンズＬ１から第３レンズＬ３によって球面収差などの諸収差を良好に補正し、第４レンズＬ４のアナモフィック面によって像面彎曲と非点収差補正を行うことによって回転対称な非球面を使用せずとも良好なる光学特性を実現している。
【００５４】
全ての数値実施例１〜４において、原稿読取用レンズＬＧのうち、読取手段Ｑ側に最も近い最終レンズは、樹脂で成形されている。最終レンズは構成レンズの中でレンズ径が大きくなりやすいために樹脂で成形することで製造を容易にすることが出来る。
【００５５】
更に、全ての数値実施例１〜４における原稿読取用レンズの開口効率は、原稿面の読取範囲全体にわたり９５％以上である。これにより原稿周辺での光量を確保することができる。
【００５６】
図１、図７に示している数値実施例１、４は、歪曲収差がやや大きめに発生しているが、電気的な歪補正を加味した設計をしており、電気的な補正を行う上では十分な収差範囲になっている。
【００５７】
なお、上記全ての数値実施例１〜４における記載内容は、本発明に係る好適な一例であり、これに限定されるものではない。
【００５８】
このように本発明は上述した如く最終レンズの少なくとも１面にアナモフィック面を設けている。このアナモフィック面を適切なパワーにすることによって、構成枚数が少なく、開口効率が95％以上で、像面彎曲をはじめとした諸収差が十分に補正された超広画角の原稿読取装置及びそれに用いる原稿読取用レンズを実現することができる。
【００５９】
尚、本実施例では原稿読取用レンズを３枚もしくは４枚より構成したが、これに限らず、１枚、もしくは２枚、もしくは５枚以上で構成しても良い。
【００６０】
次に本発明の数値実施例を示す。数値実施例において、ｒは面の曲率半径であり、ｄはレンズ厚及び空気間隔、ｎとνは各々ｄ線における材質の屈折率とアッベ数である。なお、原稿面と第１レンズとの空気間隔、また最終レンズとCCDとの空気間隔については記載を省略する。ｆはe線における全系焦点距離、Fnoは原稿面距離無限時のFナンバー、Yは原稿側の物体高、βは結像倍率、ω/2は半画角を表わしている。
【００６１】
光軸に対して回転対称な屈折力を有する非球面形状は光軸方向にx軸、光軸と垂直方向にH軸、光の進行方向を正とし、Ｒを近軸曲率半径、ｋを離心率、Ｂ、Ｃ、Ｄ、Ｅを各々非球面係数としたとき、
【００６２】
【数１】
2010169781.tif 000003
なる式で表している。
【００６３】
光軸に対して回転非対称な屈折力を有するアナモフィック非球面の形状はレンズ面と光軸との交点を原点とし、光軸方向をｘ軸、主走査断面内において光軸と直交する軸をｙ軸、副走査断面内において光軸と直交する軸をｚ軸としたとき、母線形状Ｘが、
【００６４】
【数２】
2010169781.tif 000004
但し、Ｒは曲率半径
ｋy ，Ｂ4 ，Ｂ6 ，Ｂ8，Ｂ10は非球面係数
なる式で表わされる。
【００６５】
子線形状は、Ｓは、母線上において母線と垂直な平面を断面とし、
【００６６】
【数３】
2010169781.tif 000005
但し、ｒ0 は光軸上の子線曲率半径でＲ＝ｒ0
ｋｚ，Ｄ2 ，Ｄ4 ，Ｄ6，Ｄ8 ，Ｄ10，Ｅ2 ，Ｅ4 ，Ｅ6 ，Ｅ8，Ｅ10は非球面係数
なる式で表わされる。
【００６７】
また例えば「ｅ−Ｚ」の表示は「１０-Z」を意味する。
【００６８】
前述の各条件式と実施例における諸数値との関係を表１に示す。
［数値実施例１］
f=23.53mm      Fno=6.5      m=-0.18898      Y=108.0    ω/2=36.1°
ｉ        ｒ          ｄ            ｎ          ν
１      97.900        3.66        1.5831       30.2
２       8.793        0.19        
絞り                  0.12
３      16.447        1.36        1.6884       52.6
４     -10.259        9.05        
５     -11.453        1.54        1.5247       56.2
６     -16.395        
非球面係数
R1 ｋ=9.45603e+01 Ｂ=-1.00831e-03 Ｃ=-7.51851e-06 Ｄ=1.00067e-06 Ｅ=-2.84640e-08 
R2 ｋ=6.49520e-03 Ｂ=-1.35095e-03 Ｃ=2.61203e-05 Ｄ=2.27651e-07 Ｅ=1.71683e-06 
R3 ｋ=3.04877e+00 Ｂ=-7.53927e-04 Ｃ=-2.51148e-05 Ｄ=-6.97810e-07 Ｅ=1.19766e-06 
R4 ｋ=3.41684e-01 Ｂ=-3.71523e-04 Ｃ=-3.11969e-05 Ｄ=-2.33997e-06 Ｅ=2.70643e-07 
R5 R=-1.14536e+01  ｋy =9.77940e-01 
B4=-2.97506e-04 B6 =-4.88979e-06 B8 =5.04544e-08 B10=-1.669776e-09 
r=-1.14536e+01  ｋｚ =9.77940e-01 
D4=-2.97506e-04 D6 =-4.88979e-06 D8 =5.04544e-08 D10=-1.669776e-09
E2=-3.71761e-04 E4 =1.65606e-05 E6 =-6.57387e-07 E8=1.31924e-08 E10=-3.87679e-10  
R6 R=-1.63953e+01  ｋy =-7.85635e-01 
B4=-2.20870e-04 B6 =-6.91994e-07 B8 =-7.70958e-09 B10=1.54108e-10 
r=-1.63953e+01  ｋｚ =-7.85635e-01  
D4=-2.20870e-04 D6 =-6.91994e-07 D8 =-7.70958e-09 D10=1.54108e-10
E2=1.25513e-02 E4 =9.98777e-06 E6 =1.69084e-06 E8=-1.06294e-08 E10=-5.77346e-10
［数値実施例２］
f=23.53mm      Fno=6.5      m=-0.18898      Y=108.0    ω/2=36.4°
ｉ        ｒ          ｄ          ｎ          ν
１      88.603        3.31        1.5831       30.2
２       8.594        0.21        
絞り                  0.12
３      15.707        1.44        1.6884       52.6
４     -10.292        9.26        
５      -9.983        1.63        1.5247       56.2
６     -14.345
非球面係数
R1 ｋ=-8.31841e+01 Ｂ=-1.10632e-03 Ｃ=-4.74172e-06 Ｄ=9.20783e-07 Ｅ=-2.42904e-08 
R2 ｋ=-6.30089e-01 Ｂ=-1.30605e-03 Ｃ=2.86007e-05 Ｄ=1.30472e-06 Ｅ=9.10824e-07 
R3 ｋ=3.41340e+00 Ｂ=-7.28559e-04 Ｃ=-1.44008e-05 Ｄ=-2.71447e-06 Ｅ=8.44996e-07 
R4 ｋ=-3.58359e-01 Ｂ=-4.43098e-04 Ｃ=-2.57599e-05 Ｄ=-1.96049e-06 Ｅ=1.09084e-07 
R5 R=-9.98271e+01  ｋy =8.30690e-01 
B4=-2.72388e-04 B6 =-4.21879e-06 B8 =5.60192e-08 B10=-1.42654e-09 
r=-9.98271e+01  ｋｚ =8.30690e-01
D4=-2.72388e-04 D6 =-4.21879e-06 D8 =5.60192e-08 D10=-1.42654e-09
E2=-3.85721e-04 E4 =1.17039e-05 E6 =-1.06254e-07 E8=3.41750e-08 E10=-2.74854e-10  
R6 R=-1.43446e+01  ｋy =-9.41882e-01 
B4=-2.26320e-04 B6 =-2.85693e-07 B8 =-4.89438e-09 B10=1.63288e-10 
r=-1.43446e+01  ｋｚ =-9.41882e-01
D4=-2.26320e-04 D6 =-2.85693e-07 D8 =-4.89438e-09 D10=1.63288e-10
E2=1.06483e-02 E4 =8.67618e-06 E6 =1.53886e-06 E8=-4.55381e-08 E10=-1.76826e-11
［数値実施例３］
f=24.80mm      Fno=6.5      m=-0.18898      Y=108.0    ω/2=34.7°
ｉ        ｒ          ｄ          ｎ          ν
１      104.618       3.32        1.5831       30.2
２       8.854        0.28        
絞り                  0.12
３      15.782        1.34        1.6884       52.6
４      -10.708       9.43        
５       -9.364        1.57        1.5247       56.2
６      -13.497        
非球面係数
R1 ｋ=-6.67864e+00 Ｂ=-1.12084e-03 Ｃ=-3.78639e-06 Ｄ=8.92856e-07 Ｅ=-2.33365e-08
R2 ｋ=-4.95290e-01 Ｂ=-1.40205e-03 Ｃ=2.61541e-05 Ｄ=7.41038e-07 Ｅ=7.26759e-07
R3 ｋ=4.11650e+00 Ｂ=-6.91387e-04 Ｃ=-1.24930e-05 Ｄ=-1.16197e-06 Ｅ=6.60632e-07
R4 ｋ=-9.02768e-01 Ｂ=-3.95763e-04 Ｃ=-2.09028e-05 Ｄ=-1.31591e-06 Ｅ=1.67466e-07 
R5 R=-9.3697e+01  ｋy =4.59815e-01 
B4=-2.51979e-04 B6 =-3.29869e-06 B8 =4.10937e-08 B10=-1.34456e-09 
r=-9.3697e+01  ｋｚ =4.59815e-01
D4=-2.51979e-04 D6 =-3.29869e-06 D8 =4.10937e-08 D10=-1.34456e-09
E2=4.91375e-05 E4 =1.08652e-05 E6 =-1.82468e-07 E8=2.37095e-08 E10=-1.55198e-10  
R6 R=-1.34968e+01  ｋy =-8.94957e-01 
B4=-1.97901e-04 B6 =-1.98619e-08 B8 =-4.31924e-09 B10=1.40203e-10 
r=-1.34968e+01  ｋｚ =-8.94957e-01
D4=-1.97901e-04 D6 =-1.98619e-08 D8 =-4.31924e-09 D10=1.40203e-10
E2=8.72268e-03 E4 =1.66435e-05 E6 =5.34130e-07 E8=-2.22879e-09 E10=2.50968e-12
［数値実施例４］
f=23.60mm      Fno=6.5      m=-0.22028      Y=108.0    ω/2=36.1°
ｉ        ｒ          ｄ          ｎ          ν
１      9.794        1.88        1.7725       49.6
２     21.804        0.69        
絞り                 0.7
３     -37.133       0.51        1.6889       31.1
４      11.285       0.2        
５      19.241       4.80        1.7725       49.6
６     -21.709       4.53
７     -25.574       2.52        1.5299       55.8
８     -22.947
非球面係数
R7 R=-2.55743e+01  ｋy =1.67249e+00 
B4=-9.63790e-05 B6 =-6.38977e-07 B8 =-4.25262e-08  
r=-2.55743e+01  ｋｚ =1.67249e+00
D4=-9.63790e-05 D6 =-6.38977e-07 D8 =-4.25262e-08  
E2=-1.57190e-02 E4 =1.545275e-04 E6 =-6.93935e-06 E8=1.05314e-07   
R8 R=-2.29475e+01  ｋy =4.56449e+00
B4=2.90712e-05 B6 =-5.74339e-07 B8 =-8.97187e-09  
r=-2.29475e+01  ｋｚ =4.56449e+00
D4=2.90712e-05 D6 =-5.74339e-07 D8 =-8.97187e-09  
E2=3.57482e-04 E4 =-1.19773e-04 E6 =-3.55446e-06 E8=5.07258e-08
【００６９】
【表１】
2010169781.tif 000006
図９は本発明の数値実施例１から４の何れかの原稿読取用レンズをデジタルカラー複写機の原稿読取装置に適用したときの原稿読取装置の実施例１の要部概略図である。
【００７０】
同図において２は原稿台（原稿台ガラス）であり、その面上に原稿１が載置されている。４は照明光源であり、例えばハロゲンランプ、蛍光灯やキセノンランプ等によって成っている。３は反射笠であり、照明光源４からの光束を反射させ、効率よく原稿１を照明している。５,６,７は各々順に第１、第２、第３の反射ミラーであり、原稿面１からの光束の光路を本体内部で折り曲げている。８は上述した数値実施例１から４の何れかの原稿読取用レンズであり、原稿面１の画像情報に基づく光束を読取手段９面上に結像させている。９は読取手段としてのラインセンサー(ＣＣＤ)である。１０は本体、１１は圧板である。
【００７１】
本実施例において照明光源４から放射された光束は直接あるいは反射笠３を介して原稿面１を照明している。そして照明光源４で照明された原稿面１からの反射光を第１、第２、第３の反射ミラー５,６,７を介して本体内部でその光束の光路を折り曲げ、原稿読取用レンズ８によりＣＣＤ９面上に結像させている。このとき第１、第２、第３の反射ミラー５,６,７が副走査方向に移動しながら主走査方向を電気的に走査することで原稿１の画像情報を読み取っている。このとき第２,３の反射ミラー６,７は、第１の反射ミラー５の移動量の半分移動することで原稿１とＣＣＤ９との距離を一定としている。
【００７２】
尚、本実施例では１：２走査光学系を有する原稿読取装置に本発明の原稿読取用レンズを適用したが、これに限らず、例えば図１０に示す一体型（フラットベッド型）の原稿読取装置に適用しても本発明は上述の実施例１と同様に適用することができる。
【００７３】
図１０において照明手段２４から放射された光束は直接あるいは反射笠２３を介して原稿２１を照明している。そして照明手段２４で照明された原稿２１からの反射光束を第１、第２、第３、第４反射ミラー２５，２６，２７，２８を介してキャリッジ３１内部でその光路を折り曲げている。そして折り曲げられた光束は数値実施例１から４の何れかの原稿読取用レンズ２９により１次元ＣＣＤ等のリニアイメージセンサ３０（以下「ＣＣＤ」と称す。）面上に結像している。そしてキャリッジ３１を副走査モーター（不図示）により図中に示す矢印Ｃ方向（副走査方向）に移動させることにより原稿２１の画像情報を読み取っている。同図におけるＣＣＤ３０は複数の受光素子を１次元方向（主走査方向）に配列した構成により成っている。２２は原稿台ガラス、３３は圧板である。
【００７４】
尚、本実施例ではデジタルカラー複写機の原稿読取装置に本発明の原稿読取用レンズを適用したが、これに限らず、例えばカラーイメージスキャナーなどの種々のカラー原稿読取装置にも適用することができる。
【図面の簡単な説明】
【００７５】
【図１】本発明の数値実施例１のレンズ断面図
【図２】本発明の数値実施例１の諸収差図
【図３】本発明の数値実施例２のレンズ断面図
【図４】本発明の数値実施例２の諸収差図
【図５】本発明の数値実施例３のレンズ断面図
【図６】本発明の数値実施例３の諸収差図
【図７】本発明の数値実施例４のレンズ断面図
【図８】本発明の数値実施例４の諸収差図
【図９】本発明の原稿読取用レンズを原稿読取装置に適用した時の要部外略図
【図１０】本発明の原稿読取用レンズを原稿読取装置に適用した時の要部外略図
【符号の説明】
【００７６】
ＬＧ  原稿読取用レンズ
Ｌ１  第１レンズ
Ｌ２  第２レンズ
Ｌ３  第３レンズ
ＳＰ  絞り
Ｐ  原稿（原稿面）
Ｑ  読取手段（ＣＣＤ）
１  原稿
２  原稿台ガラス
３  反射笠
４  照明光源(ランプ)
５，６，７  反射ミラー
８  原稿読取用レンズ
９  読取手段（ＣＣＤ）
１０  本体
１１  圧板
【図１】
2010169781.tif 000007
【図２】
2010169781.tif 000008
【図３】
2010169781.tif 000009
【図４】
2010169781.tif 000010
【図５】
2010169781.tif 000011
【図６】
2010169781.tif 000012
【図７】
2010169781.tif 000013
【図８】
2010169781.tif 000014
【図９】
2010169781.tif 000015
【図１０】
2010169781.tif 000016